(57)【要約】【課題】運転席の前側に穀稈を引き起す引起装置と植立穀稈の絡み合いを分離する補助引起装置が配置されるコンバインにおいて、運転席側への穀粒の飛散を防ぎながら、収穫作業における刈取前部の視認性を向上させる。【解決手段】運転席（５）の前側に穀稈を引き起す穀稈引起装置（８）を設け、該穀稈引起装置（８）の前側に穀稈を左右に分離する補助引起装置（６０）を設けたコンバインにおいて、穀稈引起装置（８）の上方へ張り出して該穀稈引起装置（８）によって脱粒した穀粒が運転席（５）側へ飛散するのを防ぐ防護カバー体（１５）を設けるとともに、補助引起装置（６０）後側の穀稈引起装置（８）の上方の部位に、防護カバー体（１５）よりも前方へ張り出し可能な補助防護カバー体（１８ａＬ）を設ける。【選択図】図１
2012000010.tif 000002
【特許請求の範囲】
【請求項１】
運転席（５）の前側に穀稈を引き起す穀稈引起装置（８）を設け、該穀稈引起装置（８）の前側に穀稈を左右に分離する補助引起装置（６０）を設けたコンバインにおいて、前記穀稈引起装置（８）の上方へ張り出して該穀稈引起装置（８）によって脱粒した穀粒が運転席（５）側へ飛散するのを防ぐ防護カバー体（１５）を設けるとともに、前記補助引起装置（６０）後側の穀稈引起装置（８）の上方の部位に、前記防護カバー体（１５）よりも前方へ張り出し可能な補助防護カバー体（１８ａＬ）を設けたことを特徴とするコンバイン。
【請求項２】
前記補助防護カバー体（１８ａＬ）を補助引起装置（６０）の上方に張り出したときに、この補助防護カバー体（１８ａＬ）と補助引起装置（６０）の上端部との間に穀稈の穂先側が通過可能な補助穀稈通過空間（１８ｓ）が形成される構成としたことを特徴とする請求項１記載のコンバイン。
【請求項３】
前記防護カバー体（１５）と補助防護カバー体（１８ａＬ）とを穀稈引起装置（８）に対して一体的に着脱可能な構成としたことを特徴とする請求項１又は２記載のコンバイン。
【発明の詳細な説明】
【技術分野】
【０００１】
本発明は、運転席の前側に穀稈引起装置が配置されるコンバインに関するものである。
【背景技術】
【０００２】
下記特許文献１に示された従来技術は、運転席の前側に穀稈を引き起す引起し装置が配置されるコンバインにおいて、各引起し装置の上部を左右方向に長い板状の連結部材によって被覆したものである。このような連結部材を設けることにより、穀稈特に長稈の引起しの際、引起しラグによって脱粒された穀粒や穀稈に付着していた水滴や泥土、さらには引起しラグに付着していた泥土等が運転席側に飛散するのが防止される。そしてその結果、運転席前方がウインドウで囲まれていない非キャビン型においては運転席のオペレータに穀粒や水滴、泥土（以下、「穀粒等」ともいう）が直接当たることが防止され、また、ウインドウで囲まれた運転室を有するキャビン型においてはウインドウが水滴、泥土で汚れることが防止される。
【先行技術文献】
【特許文献】
【０００３】
【特許文献１】特開２００２−１７６８２５号公報
【発明の概要】
【発明が解決しようとする課題】
【０００４】
しかしながら特許文献１記載の技術では、連結部材は、引起し装置に固定しているため、圃場状態や穀稈の長さ等により変化する穀粒等の飛散状況によって、あるいはオペレータの姿勢、体型等によって、穀粒等の飛散を効果的に遮断できなかったり、前方視界特に分草位置への視界が連結部材で不必要に遮られたりする、という問題点があった。
【０００５】
また、引き起し装置の前側に植立穀稈の絡み合いを分離する補助引起し装置を設けた場合に、この補助引起し装置によって運転席側に飛散する穀粒等を防ぐことが考慮されていない、という問題点があった。
【０００６】
そこで、本発明の課題は、運転席の前側に穀稈を引き起す引起し装置と植立穀稈の絡み合いを分離する補助引起し装置が配置されるコンバインにおいて、運転席側への穀粒等の飛散を防ぎながら、コンバインの前端部を見ながら収穫運転を行い易くすることにある。
【課題を解決するための手段】
【０００７】
上記課題を解決した本発明は次のとおりである。
すなわち、請求項１記載の発明は、運転席（５）の前側に穀稈を引き起す穀稈引起装置（８）を設け、該穀稈引起装置（８）の前側に穀稈を左右に分離する補助引起装置（６０）を設けたコンバインにおいて、前記穀稈引起装置（８）の上方へ張り出して該穀稈引起装置（８）によって脱粒した穀粒が運転席（５）側へ飛散するのを防ぐ防護カバー体（１５）を設けるとともに、前記補助引起装置（６０）後側の穀稈引起装置（８）の上方の部位に、前記防護カバー体（１５）よりも前方へ張り出し可能な補助防護カバー体（１８ａＬ）を設けたことを特徴とするコンバインである。
【０００８】
また、請求項２記載の発明は、前記補助防護カバー体（１８ａＬ）を補助引起装置（６０）の上方に張り出したときに、この補助防護カバー体（１８ａＬ）と補助引起装置（６０）の上端部との間に穀稈の穂先側が通過可能な補助穀稈通過空間（１８ｓ）が形成される構成としたことを特徴とする請求項１記載のコンバインである。
【０００９】
また、請求項３記載の発明は、前記防護カバー体（１５）と補助防護カバー体（１８ａＬ）とを穀稈引起装置（８）に対して一体的に着脱可能な構成としたことを特徴とする請求項１又は２記載のコンバインである。
【発明の効果】
【００１０】
請求項１記載の発明によれば、収穫作業中に引起装置（８）のラグの作用によって生じる穀粒等の運転席（５）側への飛散を、防護カバー体（１５）の前方へ張り出しによって防ぎ、穀稈引起装置（８）の前側にある補助引起装置（６０）で生じる穀粒の運転席（５）側への飛散は、防護カバー体（１５）よりも前方へ張り出す補助防護カバー体（１８ａＬ）で防ぐことができ、運転席（５）のオペレータの作業環境を良好に維持できる。
【００１１】
請求項２記載の発明によれば、上記請求項１記載の発明の効果を奏するうえに、補助引起装置（６０）で引起された穀稈の稈長が長く、この穀稈の穂先側が絡まったまま補助引起装置（６０）上を通過する場合にも、補助穀稈通過空間（１８ｓ）を通過させて後方へ支障なく送ることができ、刈取作業を円滑に行なうことができる。
【００１２】
請求項３記載の発明によれば、上記請求項１又は２記載の発明の効果を奏するうえに、穀稈引起装置（８）や補助引起装置（６０）のメンテナンス時に防護カバー体（１５）と補助防護カバー体（１８ａＬ）の取り外しが容易となり、メンテナンスの能率を高めることができる。
【図面の簡単な説明】
【００１３】
【図１】コンバインの側面図である。
【図２】コンバインの正面図である。
【図３】コンバイン要部の平面図である。
【図４】穀稈引起装置の要部の側面図である。
【図５】穀稈引起装置の要部の側面図である。
【図６】コンバインの側面図である。
【図７】コンバインの平面図である。
【図８】穀稈引起装置の要部の拡大側面図である。
【図９】補助引起装置及び穀稈引起装置の要部の拡大側面図である。
【図１０】穀稈引起装置の要部の拡大側面図である。
【図１１】穀稈引起装置の要部の拡大側面図である。
【図１２】カバー体及び調節体の要部の拡大斜視図である。
【図１３】カバー体及び調節体の要部の拡大平面図である。
【図１４】穀稈引起装置の要部の概略縦断面図である。
【図１５】カバー体及び調節体の要部の概略拡大側面図である。
【図１６】穀稈引起装置の要部拡大側面図である。
【発明を実施するための形態】
【００１４】
以下、本発明の一実施の形態について添付図面を参照しつつ詳説する。
このコンバインは走行車体１に左右一対の走行クローラ２，２を備え、後部に搭載した脱穀装置３の前方部に刈取部４を設置し、刈取部４の横側部には運転席５や操作ボックス６等の運転操作部を備え、更に、その運転操作部の後方には脱穀した穀粒を一時的に貯留するグレンタンクＧを装備している。
【００１５】
刈取部４は、圃場に植立する穀稈を左右に分草する分草体７，７…と、分草後の穀稈を引起し経路Ｋに沿って引き起す４条の穀稈引起装置８，８，８，８と、引起し後の穀稈の株元近くを切断して穀稈を刈り取る刈取装置９と、分草後の穀稈の株元側を掻き込んで刈取装置９を経て後方へ搬送する掻込搬送装置１０と、掻込搬送後の穀稈を引き継いで揚上搬送しながら姿勢変更して脱穀装置３のフィードチェン３Ｆに受け渡し供給する揚上搬送供給装置１１等を有するものである。
【００１６】
刈取装置９は公知のバリカン型のものであり、刈取部４を支持する刈取メインフレーム２１の下端部から前方に突出する先端部フレームに配設され、穀稈引起装置８で穂先側が引き起こし作用を受け、株元側が掻込搬送装置１０による掻き込み作用を受けている状態の植立穀稈の株元近くを切断するように構成されている。
【００１７】
刈取後の穀稈は、掻込搬送装置１０により後方へ搬送されて揚上搬送供給装置１１に引き渡され、揚上搬送供給装置１１による揚上搬送過程で姿勢変更された後、フィードチェン３Ｆに引き渡され脱穀装置３に供給される。揚上搬送供給装置１１としては株元側をチェンと挟持杆とで挟持し、穂先側を搬送ラグで掻き上げて搬送する公知の構成を採用することができる。
【００１８】
刈取部４は、刈取メインフレーム２１により走行車体１に対し上下に昇降可能に装備されているものである。より詳細には、刈取メインフレーム２１は、刈取懸架台２２に袈設された刈取入力軸２３を支点として上下に回動する構成であり、刈取昇降シリンダ２４の伸縮作動により刈取部４が昇降するようになっている。
【００１９】
穀稈引起装置８は、前後に分割可能な前後の引起しケース１２，１３と、この引起しケース１２，１３に内装された、図示しない伝動スプロケット及び張設輪に巻回されて駆動される無端の引起チェンと、この引起チェンに所定の間隔で取り付けられた引起しラグ１４とを有している。引起しラグ１４は、引起しチェンの駆動に伴って後斜め上方に上昇移動する際、引起しケース１２，１３から引起し経路Ｋ側の側方に突出して穀稈を引き起すものである。前側引起しケース１２は、後側引起しケース１３に対し着脱自在に取り付けできる構成としてあり、上方に引き上げると係止ロック状態が解除され前側に取り外しできるようになっている。
【００２０】
各前側引起しケース１２，１２，…の前面は、上端部１２ｕがその下側よりも傾斜の緩い垂直面に対する上端部１２ｕ前面の傾斜角が下端側より大きく後方傾斜姿勢となるよう屈曲形成されていて、図６に二点鎖線でオペレータの視線を示すように、着座姿勢での作業における分草位置近傍の視界が良好となり、起立姿勢での作業においては分草位置が良く見えるように構成している。符号１２ｃはこの屈曲位置を示している。
【００２１】
各穀稈引起装置８の上部は、左右横方向に長く構成された防護カバー体１５によって被覆される構造になっている。防護カバー体１５は金属板により形成する他、ポリカーボネート等のプラスチック板により形成することも可能であり、その場合透明又は半透明にして防護カバー体１５越しの視認性を確保するのも好ましい。
【００２２】
防護カバー体１５は、穀稈引起装置８の引き起し経路Ｋに沿って上昇する引起しラグ１４の上昇軌跡の上方延長線上に配置し、前側引起しケース１２の上端側１２ｕ前面をカバーする状態と、上昇移行する引起しラグ１４における引起し経路Ｋの上方をカバーする張り出し状態とに、前後方向の傾斜姿勢を変更自在に構成されている。そして、この防護カバー体１５の姿勢変更手段として、前後上下のスライド構成とすることもできるが、本実施例では図３〜５に示されるように、左端及び右端の穀稈引起装置８の背部側に支持ステー８ｓ，８ｓがそれぞれ立設されるとともに、これら支持ステー８ｓ，８ｓ間に左右横方向に延在するカバー体支軸１６が袈設され、防護カバー体１５はこのカバー体支軸１６を回動支点として上下に揺動開閉するよう揺動開閉自在に構成されている。防護カバー体１５の上方への開側が引起し経路Ｋの上方をカバーする姿勢変更状態開姿勢であり、下方への閉側が前側引起しケース１２の上端側１２ｕ前面をカバーする姿勢変更状態閉姿勢となる。防護カバー体１５の開閉は、回動支点付近に設けた引張スプリング１７により、カバー体支軸１６の支点に対してスプリング張力方向を閉側と開側とに切り替え可能な構成になっていて、ワンタッチで揺動開閉することができる。
【００２３】
防護カバー体１５と右側上部サイドカバー１８ａと左側の後述する補助防護カバー体１８ａＬは一体に形成し、図１０に示す如く、支持ステー８ｓのカバー体支軸１６に枢支し、支持ステー８ｓの左右を穀稈引起装置８の支持ブラケット２７にボルト２５とナット２６で取り付けているので、メンテナンス時に簡単に取り外せる。
【００２４】
分草後の穀稈は、図１４に示すように、穀稈引起装置８の引起しケース１２，１３から引起し経路Ｋ内に突出して上昇する引起しラグ１４が株元側から穂先側にかけて作用することで引き起こされる際、引起し作用によって穀粒等が運転席５のオペレータに向かって飛散することがあるが、防護カバー体１５を例えば穀粒等の飛散方向と交差する開姿勢に姿勢変更することにより、引起しラグ１４により飛び散る穀粒等を防護カバー体１５によって効果的に遮ることができる。
【００２５】
防護カバー体１５は、平板状のもの等、適宜の形状とすることができるが、本実施形態のように、上面カバー部１５ａと後面カバー部１５ｂとからなるように側面視で略への宇型に形成されていると、上面カバー部１５ａの下面部で穀粒等の上方への飛散を阻止し、後面カバー部１５ｂの下面部で穀粒等の後方上方への飛散を阻止することができ、従って、運転席５への穀粒等の飛散を確実に防止することができるようになるため好ましい。
【００２６】
防護カバー体１５は、開状態において上面カバー部１５ａが引起しラグ１４の上昇軌跡の上方延長線と交差する配置が好ましいが、後面カバー部１５ｂが引起しラグ１４の上昇軌跡の上方延長線と交差する配置とすることも可能である。また、防護カバー体１５を引起しラグ１４の上昇軌跡の上方延長線から後方側にずらし、後述する調節体５０をそのカバー範囲の前方拡大により引起しラグ１４の上昇軌跡の上方延長線上に位置させる構造とすることも可能である。
【００２７】
本実施形態の多条刈りコンバインのように、左右方向中間の引起装置８の左右両側に引起し経路をそれぞれ有する場合、当該引起し装置の下部前方の分草体７により隣接条の穀稈は分離されて左右の各引起し経路に導入される。しかし、穀稈が長稈の場合等においては、隣接条の穀稈の穂先が絡んで分離されずに当該引起し装置を跨いでクロスしたまま刈取装置９により刈り取られ、後方に搬送されることがある。この際、当該引起し装置の上端と防護カバー体１５とが接触していると、当該引起し装置を跨ぐクロス部分がこの接触部分に引っ掛かり後方に通過できずに詰まってしまう。また、穀稈の搬送力により穂先の絡みが無理に解けたとしても、穂先相互のしごき作用又は防護カバー体１５と引起しケース１２，１３の隅部によるしごき作用により穂先の穀粒が脱粒することは避け難い。よって、左右方向中間の穀稈引起装置８の左右両側に引起し経路をそれぞれ有する場合、図１〜図２及び図９に示すように、少なくとも当該穀稈引起装置８の上端と防護カバー体１５との間に穀稈通過空間１５ｓが確保される構造とし、この穀稈通過空間１５ｓにより左右両側の引起し経路を繋ぐことにより、穀稈の穂先部分がクロスしていてもそのまま後方に通過する構造とするのが好ましく、図７に示すような左右両側にそれぞれ引起し経路を有する穀稈引起装置が複数存在する場合、脱粒防止効果は更に顕著である。このような穀稈通過空間１５ｓは、防護カバー体１５の姿勢如何によらず形成される構造とすることも可能であるが、その場合、防護カバー体１５の位置が高くなり前方視界の妨げとなるため、防護カバー体１５を開姿勢としたときにのみ形成される構造とする方が好ましい。
【００２８】
穀稈が倒伏状態で絡みあうような圃場状態で効果的に引起しを行うために、図１〜図２及び図９に示すように、穀稈引起装置８の前方位置に、補助引起しラグ６２を前方に突出させながら倒伏状態で絡みあう穀稈を左右に分割しながら引起し回動する補助引起装置６０を取り付けることがある。補助引起装置６０は、補助引起しケース６１と、この補助引起しケース６１に内装された、図示しない伝動スプロケット及び張設輪に巻回されて駆動される無端の補助引起チェンと、この補助引起チェンに所定の間隔で取り付けられた補助引起しラグ６２とを有している。補助引起しラグ６２は、補助引起しチェンに伴って後斜め上方に上昇移動する際、補助引起しケース６１から前方に突出して穀稈を補助引起装置６０の左右に分割しながら引き起すものである。このような状況における作業では、穀粒や泥土が運転席５側へ跳ね易いため前述の防護カバー体１５よりも前に張り出し可能にした補助防護カバー体１８ａＬを設けるが、隣接条の穀稈の穂先が絡んで分離されずに補助引起装置６０及び穀稈引起装置８を跨いでクロスしたまま搬送される現象が発生し易い。よって、特にこのような補助引起装置６０を設ける場合は、図９に示すように、前述の穀稈通過空間１５ｓの他に、補助防護カバー体１８ａＬを張り出した状態で補助引起しラグ６２の作用域よりも前に張り出しかつ補助引起装置６０との間に補助穀稈通過空間１８ｓを形成するようにして、補助引起装置６０及び穀稈引起装置８で引起した穀稈の穂先部分がクロスしていてもそのまま後方に通過搬送するように構成する。搬送ラグによる補助引起装置の他に、分草体７から穀稈引起装置８の上方に亘る縦姿勢で穀稈引起し装置の前側に設けたガイド杆を設ける構成においても、ガイド杆とカバー体１５の間に穀稈の通過空間を形成するように構成することが好ましい。なお、図２に示す実施例では、左右中間部に設ける補助引起装置６０の後部に補助防護カバー体１８ａＬに相当するカバーを省略しているが、同様に設けた方が良い。
【００２９】
本実施例では、各穀稈引起装置８の左右両サイドに配置された刈取サイドカバー１８，１８は、上部サイドカバー１８ａと下部サイドカバー１８ｂとに分割され、上部サイドカバー１８ａは、下部サイドカバー１８ｂに対して上側面及び外側面上に重合し、前記防護カバー体１５と連結により一体化され、該防護カバー体１５と共に上下に揺動開閉可能に構成されている。右側の上部サイドカバー１８ａは、右側の分草体７と左右同一位置に位置して、この右側の上部サイドカバー１８ａが分草体７を見難い場合の位置目安となる。
【００３０】
なお、左側の上部サイドカバー１８ａは、前記補助防護カバー体１８ａＬを兼ねて、補助防護カバー体１８ａＬの開閉時に補助引起しケース６１と干渉しないように補助防護カバー体１８ａＬの先端に短縮部１８ｄを形成している。
【００３１】
また、右側の上部サイドカバー１８ａが防護カバー体１５と一体になっていることにより、右側の上部サイドカバー１８ａをハンドル代わりにして、上部サイドカバー１８ａとともに防護カバー体１５を揺動させることができため、専用のハンドルを設けなくても防護カバー体１５の姿勢変更操作を容易に行うことができるようになる。
【００３２】
また、本実施例では、防護カバー体１５及び上部サイドカバー１８ａを上方に回動させないと、前側引起しケース１２及び下部サイドカバー１８ｂの取り外しができなくなっているため、防護カバー体１５及び上部サイドカバー１８ａは、その下方への閉動によって前側引起しケース１２及び下部サイドカバー１８ｂをロックするロック機構の役目を果たす構造になっている。よって、上部サイドカバー１８ａの下部に重合した下部サイドカバー１８ｂの着脱が簡単に行え、刈取部のメンテナンスも容易である。
【００３３】
図８に示すように、防護カバー体１５を揺動開閉するためのハンドル１５Ｈを防護カバー体１５に取り付けることも可能である。このハンドル１５Ｈは、運転席５から防護カバー体１５を揺動操作できるように、防護カバー体１５の運転席５に近い部位、例えば運転席５前方の部位から上方に突出しているのが好ましい。
【００３４】
本実施例における防護カバー体１５には、その前後方向カバー範囲を拡大自在である調節体５０が設けられている。この調節体５０により、防護カバー体１５の前後方向の傾斜姿勢だけでなく、防護カバー体１５の前後方向カバー範囲を調節できるため、オペレータは、圃場状態や穀稈の長さ等による穀粒等の飛散状況に応じて、あるいはオペレータの姿勢、体型等に応じて、前方視界及び穀粒等の飛散防止を比較考量しつつ、防護カバー体１５を適切な位置及び姿勢に調節できるようになる。
【００３５】
例えば、穀粒等が運転席５側に飛散するときには、図１５（ｂ）に示すように防護カバー体１５の姿勢を穀粒等の飛散方向に対する交差角が直角又はそれに近くなる開姿勢に変更し、更に飛散範囲が広いとき等、必要に応じて図１５（ｃ）に示すように調節体５０によりカバー範囲を前方に拡大することにより、穀粒等の飛散を防護カバー体１５で効果的に遮りつつ、前方視界を可能な限り確保することができる。一方、穀粒等の飛散が無いか、又は運転席５側への飛散が少ないときには、図１５（ａ）に示すように防護カバー体１５の姿勢を穀粒等の飛散方向に対して平行又はそれに近くなる閉姿勢に変更し、更に必要に応じて調節体５０を非拡大状態に調節することにより、前方視界を重視した状態とすることができる。さらにこれらの中間程度のカバー範囲とするために、図１５（ｄ）に示すように防護カバー体１５の姿勢を穀粒等の飛散方向に対して平行又はそれに近くなるように姿勢変更するとともに、調節体５０を前方に拡大した状態とすることも可能である。このように、防護カバー体１５の姿勢及びカバー範囲の調節は、オペレータが任意に変更できるものであり、このような調節形態に限られるものではない。
【００３６】
調節体５０は、透明又は半透明のポリカーボネート等のプラスチック板により形成して調節体５０越しの視認性を確保するのが好ましいが、金属板により形成することも可能である。調節体５０の形状は適宜定めることができ、図示例のような矩形状の他、前端縁が弧状に張り出した形状等とすることも可能である。
【００３７】
本実施形態の調節体５０は、防護カバー体１５の前側カバー範囲を拡大するものであるが、後側又は前後両側のカバー範囲を拡大する構造としても良い。調節体５０におけるカバー範囲の拡大量は適宜定めることができる。
【００３８】
本実施形態の多条刈りコンバインでは、走行車体１の右側部分又は左側部分に運転席５を有し、運転席５の前方にも穀稈引起装置８を有している。このような多条刈りコンバインでは、防護カバー体１５は両端の穀稈引起装置８にわたるように延在させるとともに、調節体５０は少なくとも運転席５と対応する左右方向範囲をカバーするように左右方向に延在させるのが好ましい。この場合、防護カバー体１５の左右方向の略全体にわたり調節体５０を設けると穀粒等の飛散防止効果に優れるが、運転席５の前方位置のみに調節体５０を設けて安価で前方視界に優れる構成とすることも可能である。また、いずれにせよ、オペレータは運転席５から調節体５０に手をかけて調節することができ、より的確な調節が可能となるとともに、穀稈の引起しにより後上方へ飛散する穀粒等のうち少なくとも運転席５に向かうものについては効果的に遮断することができるようになる。
【００３９】
特に、調節体５０を直接手で操作する場合は、防護カバー体１５及び調節体５０は左端の穀稈引起装置８の左端部又は右端の穀稈引起装置８の右端部特に運転席５側まで延在しているのが好ましい。また、図７に示すように、運転席５が走行車体の右側部分に位置し穀稈引起装置８が運転席５よりも右側まで張り出している場合は、この張り出し部分からの籾殻等の飛散をも防止するため、防護カバー体１５及び調節体５０を運転席５の右側まで延在させるのが好ましい。運転席５が左側で穀稈引起装置８の張り出しが左側の場合も同様に防護カバー体１５及び調節体５０を運転席５の左側まで延在させるのが好ましい。
【００４０】
調節体５０の拡大調節機構は適宜定めることができ、拡大方向に沿ってスライドする機構（図示略）を採用することもできるが、本実施例の調節体５０は、図１０〜図１３に示すように、基端部が防護カバー体１５の前端部に設けられた左右方向に沿う調節体支軸５１により防護カバー体１５に軸支され、先端側の部分がこの調節体支軸５１を回動支点として回動することで防護カバー体１５の前後方向カバー範囲を拡大するものである。この場合、調節体５０によるカバー範囲の調節は、調節体５０を防護カバー体１５に対して調節体支軸５１回りに回動することで変更できるため、変更操作がワンタッチで簡単になるだけでなく、調節体５０の角度も調節できるため、前方視界の妨げとならないようにカバー範囲を拡大することも可能である。さらに、防護カバー体１５を上方に揺動させた場合には、オペレータ側への穀粒等の飛散が阻止されるものでありながら、前側引起しケース１２の着脱が簡単に行える等、引起装置８のメンテナンスが容易に行えるという利点もある。
【００４１】
この調節体５０の回動機構も適宜定めることができるが、本実施例では、調節体５０に調節体支軸５１を弾力的に挟持する一対の挟持部５２，５３を設け、一方の挟持部５２をある程度の弾性を有する平板状体バネ材により構成し、他方の挟持部５３を調節体支軸５１が嵌合する円弧状の受け溝５３ｄを有する板状体により構成している。これにより、簡素・安価な構成で調節体５０を確実に支持できるようになるとともに、無段階の回動が可能となる。また、調節体５０の回動時には、挟持部５２，５３と調節体支軸５１との摩擦により、接触面間の錆や埃等を素早く取り除くことができ、常時スムーズにカバーを回動させることができるようになる。
【００４２】
また、本実施例の一対の挟持部５２，５３は挟持方向に貫通するネジ挿通孔を有し、これらの螺子挿通孔に対して一方側から他方側へ調節ボルト５４ｂを挿し通してナット体５４ｎに螺合させ、締め付けることにより一方の挟持部５２を他方の挟持部５３に対して弾力的に押し付ける構造となっているため、調節ボルト５４ｂの締め付けトルクのみで調節体５０の回動荷重を容易に調整することができる。よって、このような回動荷重調整手段を設けるのは好ましい。
【００４３】
さらに、調節体支軸５１を防護カバー体１５の左右方向に間隔を空けて複数か所に設けると防護カバー体１５の支持が安定するため好ましく、その場合に各調節体５０に前述の回動荷重調整手段を設け、運転席５から遠い方の調節体支軸５１における調節体５０の回動荷重を、運転席５側の調節体支軸５１における調節体５０の回動荷重より弱くすると、運転席５側から調節体５０を容易に回動させることができるため好ましい。
【００４４】
本実施例では、調節体支軸５１を防護カバー体１５に設け、挟持部５２，５３を調節体５０に設けているが、反対に挟持部５２，５３を防護カバー体１５に設け、調節体支軸５１を調節体５０に設けても良い。
【００４５】
他方、図示の実施例は、運転席５がウインドウで囲まれていない非キャビン型への適用例であるが、本発明は、ウインドウで囲まれた運転室を有するキャビン型にも適用することができ、その場合にもウインドウの水滴、泥土による汚れを防止できるといった利点がもたらされる。
【符号の説明】
【００４６】
５      運転席
８      穀稈引起装置
１５      防護カバー体
１８ａＬ  補助防護カバー体
１８ｓ    補助穀稈通過空間
６０      補助引起装置
【図１】
2012000010.tif 000003
【図２】
2012000010.tif 000004
【図３】
2012000010.tif 000005
【図４】
2012000010.tif 000006
【図５】
2012000010.tif 000007
【図６】
2012000010.tif 000008
【図７】
2012000010.tif 000009
【図８】
2012000010.tif 000010
【図９】
2012000010.tif 000011
【図１０】
2012000010.tif 000012
【図１１】
2012000010.tif 000013
【図１２】
2012000010.tif 000014
【図１３】
2012000010.tif 000015
【図１４】
2012000010.tif 000016
【図１５】
2012000010.tif 000017
【図１６】
2012000010.tif 000018